(57)【要約】【課題】袖部のガラスパネルを撤去せずに開口部をスライド式の自動ドアに改装する。【解決手段】袖部３１にＦＩＸ窓４を備えた開口部１を改装する。開口部１から既存のスイング式のドアを撤去し、袖部３１のＦＩＸ窓４の屋内側で対向する縦枠１５に突起部３２をそれぞれ設け、無目３３の両端に形成した下部開口３３ｂを通して上方から無目３３を突起部３２に嵌合させる。無目３３の裏面に、レール３６とエンジン４１とローラ４２を収納したボックス４０を備えた支持枠３７を取り付け、ねじ３８で無目３３に内部の補強板３５と共に固定する。支持枠３７はランマのＦＩＸ窓の下枠にもねじ３８で固定する。開口部１においてＦＩＸ窓４より屋内側に開閉ドア１２を備えた自動ドアを設置し、開閉ドアの上框に固定した支持アーム４３を介してローラ４２をレール３６上に設置する。【選択図】図４
2015031099.tif 000002
【特許請求の範囲】
【請求項１】
既存の開口部に隣接してガラスパネルが枠体に保持された袖部を備えた建物の開口部の改装構造において、
前記ガラスパネルの一方の面側で前記枠体における左右の縦枠の間に無目を取り付け、
前記無目に駆動手段を取り付け、
前記開口部に前記駆動手段で開閉作動する開閉ドアを備えた自動ドアを設置したことを特徴とする建物の開口部の改装構造。
【請求項２】
前記無目の内部には前記駆動手段を連結する補強部材が設置されている請求項１に記載された建物の開口部の改装構造。
【請求項３】
前記枠体の対向する縦枠に突起部を設け、
前記突起部に前記無目の両端の開口を嵌合させた請求項１または２に記載された建物の開口部の改装構造。
【請求項４】
前記開口部の上部に設けたランマの下枠に前記駆動手段を取り付けた請求項１から３のいずれか１項に記載された建物の開口部の改装構造。
【請求項５】
前記ガラスパネルの一方の面側で前記枠体の上枠に下方から前記無目を固定部材で固定すると共に、前記開口部の上部にも別の無目を下方から前記固定部材で固定し、前記別の無目にも前記駆動手段を取り付けた請求項１または２に記載された建物の開口部の改装構造。
【請求項６】
前記枠体の上枠及び無目の間と前記開口部の上部及び別の無目の間との少なくとも一方に高さ調整部材を配設させて、前記無目と別の無目を同一高さに設置した請求項５に記載された建物の開口部の改装構造。
【請求項７】
既存の開口部に隣接してガラスパネルが枠体に保持された袖部を備えた建物の開口部の改装工法において、
前記既存の開口部に設けた戸体を撤去する工程と、
前記ガラスパネルの一方の面側で前記枠体における左右の縦枠の間に無目を取り付ける工程と、
前記無目に駆動手段を取り付ける工程と、
前記開口部に前記駆動手段で開閉作動する開閉ドアを備えた自動ドアを設置した工程とを備えたことを特徴とする建物の開口部の改装工法。
【請求項８】
前記無目を左右の縦枠に取り付ける工程において、
左右の前記縦枠に突起部を設け、前記突起部に前記無目の両端の開口を嵌合させて無目を取り付けるようにした請求項７に記載された建物の開口部の改装工法。
【請求項９】
前記開口部の上部に設けたランマの下枠にも、前記駆動手段を取り付けた請求項７または８に記載された建物の開口部の改装工法。
【請求項１０】
前記無目を前記左右の縦枠の間に取り付ける工程において、
前記枠体の上枠に下方から前記無目を固定部材で固定すると共に、前記開口部の上部にも別の無目を下方から前記固定部材で固定した請求項７または８に記載された建物の開口部の改装工法。
【発明の詳細な説明】
【技術分野】
【０００１】
本発明は、建物の開口部における例えばスイング式等のドアをスライド式の自動ドアに改装するようにした建物の開口部の改装構造と改装工法に関する。
【背景技術】
【０００２】
従来、スイング式の開き戸を開口部に採用していた店舗等において、子供や老人や障害者等のように力が弱かったり、荷物を持っている人の場合等には、開き戸を押したり引いたりして開閉操作することが容易でなかった。そのため、店舗等では、人が出入りし易いようにスイング式の開き戸からスライド式（引戸式）の自動ドアに改装する工事が行われている。
【０００３】
例えば、図１１に示す開口部１の横断面図において、既存の店舗では開口部１にスイング式の開き戸２が取り付けられており、開口部１の縦枠１５を介して隣接する壁面にＦＩＸ窓４が設けられ、このＦＩＸ窓４は例えば床面から天井まで延びて全面に取り付けられている。
このような既存の店舗において、開口部１を開き戸２からスライド式の自動ドアに改装する場合、図１２の縦断面図に示すように、開閉ドアを設置する開口部１に隣接するＦＩＸ窓４が袖部となる。そして、ＦＩＸ窓４のガラスパネルを撤去した袖部に、自動ドアの開閉ドアを作動するためのレール６やエンジン７等を備えたボックスを取り付ける無目８を設置し、無目８の上下に新たなガラスパネル９ａ、９ｂを設置する必要があった。
【０００４】
また、特許文献１には、床から天井まで全面に延びるガラスパネルを設置した場合、人や器物が衝突するのを防ぐために、左右の縦枠におけるガラスパネルのガラス溝を外れた領域にブラケットを取り付け、このブラケットに水平方向に延びる保護枠材を係合させてねじで固定したガラス保護装置が提案されている。
【先行技術文献】
【特許文献】
【０００５】
【特許文献１】特開２００３−３７６３号公報
【発明の概要】
【発明が解決しようとする課題】
【０００６】
しかしながら、前者の構成では、袖部におけるＦＩＸ窓４のガラスパネルの撤去、無目８の取り付け、新たなガラスパネル９ａ、９ｂの設置等の多くの施工が必要であり、手間と施工コストがかかる不具合があった。
また、特許文献１に記載されたガラス保護装置は、単に人や器物がガラスパネルに衝突しないようにガラスパネルに近接する位置に保護枠体を設置したにすぎず、この保護枠体は自動ドアを作動するためのレールやエンジンや開閉ドア等を支持させるものではなかった。この保護枠体にレールやエンジン等や開閉ドアのローラ等を支持させると、荷重が大きいために捩じれを生じたり耐久性がなかったり、保護枠体を固定するねじが露出して美観を損ねる等の不具合があり、縦枠間でレールやエンジンや開閉ドアのローラ等の重量物を支持する部材に転用できなかった。
【０００７】
本発明は、このような課題に鑑みてなされたものであって、袖部のガラスパネルを撤去することなく、開口部をスライド式の自動ドアに改装できるようにした建物の開口部の改装構造と改装工法を提供することを目的とする。
【課題を解決するための手段】
【０００８】
本発明による建物の開口部の改装構造は、既存の開口部に隣接してガラスパネルが枠体に保持された袖部を備えた建物の開口部の改装構造において、ガラスパネルの一方の面側で枠体における左右の縦枠の間に無目を取り付け、無目に駆動手段を取り付け、開口部に駆動手段で開閉作動する開閉ドアを備えた自動ドアを設置したことを特徴とする。
本発明によれば、ガラスパネルの一方の面側で枠体の左右の縦枠の間に無目を取り付けて無目に駆動手段を取り付け、スライド式の自動ドアの開閉ドアを既存の開口部に設置することで新たな開口部に改装でき、袖部のガラスパネルを撤去することなく改装できるため、改装工事の工数が少なく施工が簡単である。しかも、無目に駆動手段を設けたから、無目によって駆動手段を遮蔽できるため外観の見栄えがよい。
【０００９】
また、無目の内部には駆動手段を連結する補強部材が設置されていることが好ましい。
駆動手段は重量が大きいが無目の内部に補強部材を設置したことで、駆動手段を無目と補強部材によって支持できるため、無目の剛性と強度が高い。
【００１０】
また、枠体の対向する縦枠に突起部を設け、突起部に無目の両端の開口を嵌合させるようにしてもよい。
袖部の縦枠間に設置した無目の両端を突起部で支持することで、無目の強度が高く駆動手段を取り付けても捻れを防止できる。
【００１１】
また、開口部の上部に設けたランマの下枠に駆動手段を取り付けることが好ましい。
無目と既存のランマの下枠とに開閉ドアを走行させるレールを含む駆動手段を取り付けることで、簡単で工数の少ない改装構造が得られる。
【００１２】
また、ガラスパネルの一方の面側で枠体の上枠に下方から無目を固定部材で固定すると共に、開口部の上部にも別の無目を下方から固定部材で固定し、別の無目にもレール等を含む駆動手段を取り付けてもよい。
袖部において、ガラスパネルの一方の面側であって上枠の左右の縦枠の間で無目を固定部材で下方から固定し、更にランマのない開口部の上部に別の無目を固定部材で下方から固定することで、無目や別の無目の上側にスペースを必要としないから設置できる範囲が広がる。
なお、無目と別の無目は同一高さで直線状に設置されることが好ましく、開口部と袖部に亘って配設するため、レールを含む駆動手段を無目と別の無目に取り付けることで開閉ドアを開口部と袖部に亘って開閉作動できる。また固定部材はねじ等を含む。
【００１３】
また、枠体の上枠及び無目の間と開口部の上部及び別の無目の間との少なくとも一方に高さ調整部材を配設させて、無目と別の無目を同一高さに設置してもよい。
袖部のガラスパネルを保持した枠体の上枠とランマのない開口部の上部との高さが異なる場合でも、無目と別の無目を同一高さに設置できるため、駆動手段のレール等を通した開閉ドアの走行がスムーズである。
【００１４】
本発明による建物の開口部の改装工法は、既存の開口部に隣接してガラスパネルが枠体に保持された袖部を備えた建物の開口部の改装工法において、既存の開口部に設けた戸体を撤去する工程と、ガラスパネルの一方の面側で枠体における左右の縦枠の間に無目を取り付ける工程と、無目に駆動手段を取り付ける工程と、開口部に駆動手段で開閉作動する開閉ドアを備えた自動ドアを設置した工程とを備えたことを特徴とする。
本発明による建物の開口部の改装工法によれば、既存の開口部の戸体を撤去し、ガラスパネルの一方の面側で枠体の左右の縦枠の間に無目を取り付けた後、無目に駆動手段を取り付けると共に、開閉ドアを備えたスライド式の自動ドアを既存の開口部に設置することで、新たな開口部に改装することができる。しかも、袖部のガラスパネルを撤去することなく施工できるため、改装工事の工数が少なく施工が簡単であり、駆動手段は無目に取り付けることで、ガラスパネル側から視認できないので外観の見栄えがよい。なお、戸体は建具の可動部分で、開き戸や引戸や扉や障子等を含んでいる。
【００１５】
また、無目を左右の縦枠に取り付ける工程において、左右の縦枠に突起部を設け、突起部に無目の両端の開口を嵌合させて無目を取り付けることが好ましい。
また、開口部の上部に設けたランマの下枠にも、駆動手段を取り付けてもよい。
また、無目を左右の縦枠の間に取り付ける工程において、枠体の上枠に下方から無目を固定部材で固定すると共に、開口部の上部にも別の無目を下方から固定部材で固定してもよい。
【００１６】
また、本発明による改装自動ドアは、窓を設けた袖部と開閉可能な開閉ドアを備えた開口部とを備えており、袖部の窓における左右の縦枠の間または上枠に無目を取り付け、無目とランマの窓の下枠または開口部に設けた別の無目とに亘って開閉ドアを案内する支持部材(支持枠３８)を固定し、開口部における袖部の窓の屋内側に開閉ドアを設け、この開閉ドアは支持部材に沿って開口部から袖部の領域まで開閉作動可能とされている。
また、支持部材には、開閉ドアを案内するレールと、開閉ドアをレールに沿ってスライドさせる駆動源と、を備えた駆動手段を取り付けてあることが好ましい。さらに、袖部の無目とランマの下枠または別の無目とが面一となっていることが好ましい。
【発明の効果】
【００１７】
本発明による建物の開口部の改装構造と改装工法によれば、ガラスパネルを撤去することなく、ガラスパネルの一方の面側に、自動ドアの開閉ドアを作動させる駆動手段を支持するための無目を堅固に設置することができるため、改装の工数が少なく施工が簡単で施工コストを低廉にできる。しかも、無目に駆動手段を設けたから、ガラスパネルを通して駆動手段やその固定手段を目視できないように無目で隠すことができて、外観の見栄えがよい。
【図面の簡単な説明】
【００１８】
【図１】本発明の実施形態による店舗の開口部に設置した自動ドアを示す正面図であり、（ａ）は片開き式の自動ドア、（ｂ）は両開き式の自動ドアである。
【図２】本発明の第一実施形態による開口部の改装構造の要部横断面図であり、（ａ）は開閉ドアによる開口部の閉鎖状態、（ｂ）は開口部の開放状態を示す図である。
【図３】図２（ａ）に示す自動ドアの開口部の中央縦断面図である。
【図４】図２（ａ）に示す自動ドアのＦＩＸ窓を備えた袖部の中央縦断面図である。
【図５】図４において、ＦＩＸ窓の縦枠に設けた突起部と無目の端部開口との連結構造を示す要部分解斜視図である。
【図６】本発明の第二実施形態による開口部の改装構造における無目の取り付け構造を示す要部縦断面図であり、（ａ）は開口部での取り付け構造を示す図、（ｂ）は袖部での取り付け構造を示す図である。
【図７】第二実施形態の第一変形例における図６（ａ）、（ｂ）と同様な図である。
【図８】第二実施形態の第二変形例における図６（ａ）、（ｂ）と同様な図である。
【図９】自動ドアにおける下部レール構造の第一変形例を示すもので、床面に取り付けた開閉ドアの下部レールガイド部を示す要部縦断面図である。
【図１０】第二変形例による下部レールガイド部を示す要部縦断面図である。
【図１１】従来の開口部におけるスイング式の開き戸を示す要部横断面図である。
【図１２】（ａ）は図１１に示す袖部におけるＦＩＸ窓のガラスパネルを示す要部縦断面図、（ｂ）はガラスパネルを外して無目を取り付けた参考例の要部縦断面図である。
【発明を実施するための形態】
【００１９】
以下、本発明の実施形態による建物の開口部の改装構造と改装工法について添付図面を参照しながら説明する。また、本実施形態による開口部の改装構造は図１１に示すスイング式の開き戸２をスライド式（引戸式）の自動ドア１０に改装する構造を説明するものであるため、図１１に示す部材や部品と同一または同様なものについては同一の符号を用いて説明するものとする。
【００２０】
第一実施形態による建物の開口部１の改装構造は、図１及び図２に示すように、例えば店舗の開口部１の図１１に示すスイング式の開き戸２を、スライド式（引戸式）の自動ドアに改装したものである。改装後の構造として、図１（ａ）は片開き式の自動ドア１０を示すものであり、店舗の前面に、例えば床から天井まで全面に設けたＦＩＸ窓４と、縦枠１５、縦枠１５Ａを設けた開口部１に設置して自動的に開閉可能な１枚の開閉ドア１２とを備えている。
また、図１（ｂ）は両開き式の自動ドア１３を示すものであり、左右両側に設けた一対のＦＩＸ窓４の間の開口部１に２枚の開閉ドア１２が左右にスライドして開閉可能とされている。両開き式の自動ドア１３は開口部１内に片開き式の開閉ドア１２を２つ設けて左右に開く構造であり、基本的に同一の駆動機構を備えている。そのため、本実施形態による開口部１の改装構造は片開き式の自動ドア１０に基づいて説明する。
【００２１】
図２に示す店舗の開口部１の改装構造は、例えば図１(ａ)に示す片開き式の自動ドア１０の横断面図を示すものである。図２に示す開口部１の改装構造では、既設のＦＩＸ窓４は左右の縦枠１５と上枠１６及び下枠１７とからなる枠体１９によってガラスパネル１８が保持されている。また、開口部１は縦枠１５と縦枠１５Ａの間に形成されている。そして、開口部１における縦枠１５，１５Ａ（即ち、撤去された既設の開き戸２）の屋内側には開閉可能な開閉ドア１２を備えた自動ドア１０が設置されている。
【００２２】
図３は開口部１における縦断面図を示すものであり、開口部１に設置された開閉ドア１２は左右の縦框２０、上框２１、下框２２によってガラスパネル２３が保持されている。開口部１の上部にはランマとしてＦＩＸ窓２５が設置され、ＦＩＸ窓２５は、縦枠１５と縦枠１５Ａ、上枠２７、下枠２８でガラスパネル２９が保持されている。開閉ドア１２は開口部１とＦＩＸ窓４の領域に亘って開閉作動可能であり、ＦＩＸ窓４の領域は袖部３１を構成する。なお、ＦＩＸ窓２５に代えて他の窓、例えば排煙窓を設置してもよい。
【００２３】
そして、図４は袖部３１の縦断面図を示すものであり、ＦＩＸ窓４の左右の縦枠１５において、ガラスパネル１８の内側（屋内側）には、図５に示すように例えば角パイプ形状の突起部３２がねじ等で左右の縦枠１５に固定されて突出している。左右の対向する縦枠１５における突起部３２には、例えば角筒形状で長手方向に延びる無目３３の両端部がそれぞれ装着されて固定されている。縦枠１５に設けた突起部３２はガラスパネル１８を保持するガラス溝に影響を与えない位置に設置され、突起部３２に装着された無目３３がガラスパネル１８に非接触とされている。
なお、無目３３や補強板３５はスチール等の高強度の金属で構成することが好ましい。無目３３はアルミ合金の外部化粧材で構成してもよい。
【００２４】
無目３３は角筒状をなす長手方向の両端に突起部３２を嵌合させる端部開口３３ａが形成され、各端部開口３３ａの下面には突起部３２を下方から相対的に挿入するための下部開口３３ｂが切り欠かれている。突起部３２の縦横寸法は無目３３の端部開口３３ａ内部の縦横寸法と同一か若干小さい程度に設定することが好ましい。また、無目３３の内部には長手方向に延びる例えば断面コの字状の金具からなる補強板３５が取り付けられ、補強板３５は無目３３の屋内側の側面と上下面に各面が当接して固定されている。
そのため、対向する左右の縦枠１５の上方に無目３３を位置させて降下させることで、左右の縦枠１５の突起部３２を、下部開口３３ｂを通して無目３３の内部に進入させて端部開口３３ａに嵌合させて支持する。そして、無目３３と突起部３２をねじ等で固定する。無目３３の下面に形成された下部開口３３ｂには内部を覆い隠すための蓋３４が着脱可能である。しかも、無目３３はランマのＦＩＸ窓２５の下枠２８と同一高さで同一線状に設置することが好ましい。
【００２５】
そして、ランマのＦＩＸ窓２５の下枠２８と袖部３１の無目３３の側面は面一とされ、側面にはレール３６を支持する支持枠３７が支持部材として当接してねじ３８等によって固定され、ねじ３８は無目３３内の補強板３５に噛合して連結されている。支持枠３７は下面側に開口４０ａを備えた断面略四角形状のボックス４０を備えており、ボックス４０内には開閉ドア１２をレール３６に沿って開閉作動させるための電気モータ等のエンジン４１が取り付けられている。また、開閉ドア１２の上框２１の上部にはボックス４０の開口４０ａを通してローラ４２をレール３６上で走行可能に支持する支持アーム４３が取り付けられている。
【００２６】
なお、図３、図４に示すように、下レール構造として、開口部１と袖部３１の床面ＦＬにはガイド溝４５が延びて埋設されている。開閉ドア１２の下部にはガイド溝４５に挿入されて走行をガイドするためのガイド部４６が固定されている。特にガイド溝４５は床面ＦＬから下側に埋め込まれており、開閉ドア１２のガイド部４６も床面ＦＬより下側に延びている。
そのため、開閉ドア１２はエンジン４１の駆動によって上部のローラ４２がレール３６に沿って回転してスライド方向に開閉作動し、開閉ドア１２のガイド部４６は床面ＦＬに設けたガイド溝４５に沿って走行する。
【００２７】
本実施形態による店舗の開口部１の改装構造は上述の構成を備えており、次に開口部１の改装工法について説明する。
図１１に示すように、開口部１に既存のスイング系の開き戸２を設けてあり、開口部１の一方の縦枠１５を介して袖部３１にＦＩＸ窓４を設けた状態において、まず開き戸２を撤去する。そして、図４において、ＦＩＸ窓４の屋内側の対向する左右の縦枠１５において、ランマのＦＩＸ窓２５の下枠２８とほぼ同一高さ位置に突起部３２をそれぞれ取り付けてねじ等で固定する。
【００２８】
次に、図５において、無目３３の長手方向両端の端部開口３３ａの下部開口３３ｂを各突起部３２の上方に位置させて降下させることで、突起部３２を無目３３の下部開口３３ｂを通して端部開口３３ａに嵌合させ、更に無目３３を突起部３２にネジ止めする。そして、無目３３の下部開口３３ｂの全長に亘って蓋３４を嵌め込むことで、下部開口３３ｂ内部を覆い隠すことができる。こうして、ランマのＦＩＸ窓２５の下枠２８と同一高さの延長線上に無目３３を袖部３１のＦＩＸ窓４の内側に固定する。
【００２９】
そして、レール３６とエンジン４１等を収納したボックス４０を備えた支持枠３７を下枠２８と無目３３の裏面に取り付け、ねじ３８等で無目３３とその内部の補強板３５に固定する。また、開口部１において、ＦＩＸ窓４の屋内側位置に自動ドア１０を設置する。そして、レール３６上には開閉ドア１２の上框２１に固定した支持アーム４３に回転可能に支持されたローラ４２を設置純水の消費量の低減し、ローラ４２をエンジン４１の出力軸に連結してレール３６上を回転走行可能になる。或いは、ローラ４２を備えた支持アーム４３を予めボックス４０内のレール３６に装着しておいてもよい。
こうして、開口部１において、袖部３１のＦＩＸ窓４の屋内側に開閉ドア１２を備えた新たな自動ドア１０の設置が完了する。
【００３０】
上述のように本第一実施形態によるランマ付き仕様の開口部１の改装構造によれば、既存のＦＩＸ窓４のガラスパネル１８の溝に影響しないようにその内側の左右の縦枠１５に無目３３を設置できる。そして、ランマのＦＩＸ窓２５の下枠２８と袖部３１のＦＩＸ窓４の無目３３に、レール３６とエンジン４１等を収納したボックス４０を備えた支持枠３７を取り付けるため、既存のＦＩＸ窓４を撤去して新たなガラスパネルを施工する必要がなく、ランマ付き開口部1に開閉ドア１２を備えた自動ドア１０を設置できて施工が簡単で施工コストが低廉である。
また、ＦＩＸ窓４の左右の縦枠１５に設けた突起部３２に、無目３３を上方から嵌合させて設置し、しかも無目３３の内部に補強板３５を設けたから、施工が簡単でレール３６やエンジン４１やローラ４２等を収納したボックス４０の荷重がかかっても無目３３が捩じれたりしない高い強度を備える。
【００３１】
なお、本発明による建物の開口部１の改装構造と改装工法は、上述した実施形態に限定されるものではなく、本発明の要旨を逸脱しない範囲で適宜の変更や置換等が可能である。以下に本発明の他の実施形態や変形例について述べるが、上述した部材や部品と同一または同様なものには同一の符号を用いて説明する。
なお、上述した実施形態では図１（ａ）に示す片開き式の自動ドア１０について説明したが、上述した実施形態における開口部１の改装構造と改装工法は図１（ｂ）に示す両開き式の一対の開閉ドア１２を開口部１に備えた自動ドア１３にも適用できる。
【００３２】
次に、本発明の第二実施形態について図６により説明する。
第二実施形態による開口部１の改装構造と改装工法は開口部１の上部にランマを設けない仕様であり、無目の取り付け機構について第一実施形態と相違するが、その余の構成はほぼ同一である。次に、相違点である無目の取り付け機構について図６により説明する。
本第二実施形態による自動ドア１０では、開閉ドア１２の上部にランマがない仕様であり、開閉ドア１２が床面から天井まで延びた構造を有している。そして、開口部１の天井に設けた上枠４８（上部）は、袖部３１のＦＩＸ窓４の上枠１６と下面がほぼ同一高さにあるものとする。
【００３３】
そのため、図６（ａ）に示すように、開口部１における縦枠１５と縦枠１５Ａの間で、上枠４８の下面内側に直接、第一の無目４９Ａを設置し、第一の無目４９Ａには第一実施形態と同様に内部に断面コの字状の補強板３５が配設されている。第一の無目４９Ａの下面に複数の開口４９ａが例えば長手方向に沿って所定間隔で形成されており、各開口４９ａを通してねじ３８によって補強板３５と第一の無目４９Ａの上面を上枠４８に固定した。
また、図６（ｂ）に示すように、袖部３１のＦＩＸ窓４の左右の縦枠１５の間には、第一の無目４９Ａと同一高さで同一直線状に第二の無目４９Ｂを設置した。開口４９ａを通してねじ３８によって補強板３５と第一の無目４９の上面とを上枠１６に固定した。
その後、第一、第二の無目４９Ａ、４９Ｂの各開口４９ａを蓋３４で覆うことができる。第一、第二の無目４９Ａ，４９Ｂの裏面にレール３６やローラ４２やエンジン４１等を収納したボックス４０の支持枠３７をねじ３８等で補強板３５と共に固定する。
【００３４】
本第二実施形態による開口部１の改装構造と改装工法によれば、ランマを設けない開口部１において、第一及び第二の無目４９Ａ，４９Ｂの固定に際し、下方から上方向に向けてねじ３８等で取り付けできるから、縦枠１５に突起部３２を設置する必要がなく、一層簡単に改装施工を行うことができる。しかも、第一及び第二の無目４９Ａ，４９Ｂを下方から取り付けるため、第一実施形態のように突起部３２の上側に無目３３の降下による装着のためのスペースを必要としないので、第一及び第二の無目４９Ａ，４９Ｂの設置可能範囲が広がる。また、第一及び第二の無目４９Ａ，４９Ｂの下面の開口４９ａを蓋３４で覆い隠すことができて外観の見栄えがよい。なお、本実施形態においても第一実施形態と同様に無目４９Ａ，４９Ｂの両端部を支持する突起部３２を設置してもよい。
【００３５】
次に、第二実施形態による開口部１の改装構造と改装工法の変形例について図７及び図８により説明する。
図７は第一変形例を示すものであり、図７（ａ）、（ｂ）に示すように、開口部１の上枠４８と袖部３１におけるＦＩＸ窓４の枠体１９の上枠１６に対する第一及び第二の無目４９Ａ、４９Ｂの設置高さを所定のレベルに調整したものである。
即ち、開口部１における上枠４８と第一の無目４９Ａとの間に例えば角筒状の高さ調整部材５１を配設し、第一の無目４９Ａの内面から補強板３５と高さ調整部材５１を介して上枠４８にねじ３８で固定した。また、図７（ｂ）では、袖部３１におけるＦＩＸ窓４の上枠１６と第二の無目４９Ｂとの間に高さ調整部材５２を設置してねじ３８等で固定したものである。この場合、上枠４８と上枠１６の高さが等しいため、各高さ調整部材５１、５２は同一高さ寸法とした。
【００３６】
また、図８（ａ）、（ｂ）は第二変形例を示すものであり、開口部１における上枠４８と袖部３１におけるＦＩＸ窓４の上枠１６との高さが異なる場合、第一の無目４９Ａと第二の無目４９Ｂとは、互いに高さの異なる高さ調整部材５３、５４を介してねじ３８等でそれぞれ固定した。これにより、開口部１の上枠４８に設置した第一の無目４９Ａと袖部３１の上枠１６に設置した第二の無目４９Ｂの高さが等しくなるように調整した。或いは、高さの低い高さ調整部材５３を省略して、高さ調整部材５４を介して第二の無目４９Ｂを第一の無目４９Ａと高さ調整してもよい。
【００３７】
また、図９、図１０は床面ＦＬに設置した下レール構造の変形例を示すものである。上述した各実施形態では既存の床面ＦＬを斫って掘り下げ、形成した凹部内にガイド溝４５を埋設する必要があり、斫りや溶接や新規床面の設置工事等が発生し、煩雑で工数がかかるという課題がある。これに対し、本変形例では下レール構造のこのような課題を改善したものである。
即ち、図９に示すように、床面ＦＬ上にガイド溝５６を設けた下レールガイド部５９を設置し、開閉ドア１２の下部に設けたガイド部４６をガイド溝５６内に収納して開閉ドア１２の開閉走行をガイドするようにした。この場合、下レールガイド部５９を床面ＦＬ上に設置するために開閉ドア１２におけるガイド部４６の高さ位置が上述した実施形態の場合よりも上方に位置するように形成するものとする。
【００３８】
次に下レールガイド部５９について図９により詳述する。
この下レールガイド部５９は、開閉ドア１２のガイド部４６が挿入されて走行可能なガイド溝５６を備えた下レール本体６０と、その両側に設けられた一対の傾斜部６１と、傾斜部６１の下側に係合された一対の傾斜取り付け部６２とで構成されている。下レール本体６０はガイド溝５６の両側に二段に突出する第一係合片６３、第二係合片６４を備えている。各傾斜部６１は略三角形状断面を有しており、傾斜面６１ａの上端部には第一係合片６３の端部に係合可能な係合受け部６１ｂを有している。
【００３９】
また、傾斜取り付け部６２は一方の端部が傾斜部６１の凸部６１ｃに係合可能な係合突起６２ａを有し、他方の端部６２ｂは第二係合片６４の端部と接合してねじで連結されている。傾斜取り付け部６２を床面ＦＬにねじ３８で固定することで、一対の傾斜取り付け部６２にそれぞれ連結される下レール本体６０と一対の傾斜部６１も一体に固定される。
そして、ガイド溝５６の底部や下レールガイド部５９と床面ＦＬとの間、或いは下レール本体６０、一対の傾斜部６１、一対の傾斜取り付け部６２の相互の係合部に適宜の止水パッキンを設置することが好ましい。
【００４０】
本変形例による下レールガイド部５９は上述の構成を備えているから、床面ＦＬを斫って掘り下げることなく、床面ＦＬ上に下レールガイド部５９を組み立てて設置するだけで開閉ドア１２の走行をガイドすることができるので、斫等の工事が不要で床面ＦＬ上に簡単に設置できる。
【００４１】
図１０は下レール構造の第二変形例を示すものである。本第二変形例による下レールガイド部６６は、ガイド溝５６を備えた下レール本体６７と、その両側に当接して設置した傾斜面６８ａを備えた一対の傾斜部６８とで構成されている。そして、下レール本体６７の下面と床面ＦＬとの間に図示しない止水パッキンを載置してもよい。また、下レールガイド部６６は、ガイド溝５６の底部と一対の傾斜部６８の底部からねじ３８を床面ＦＬにねじ込むことで固定している。また、傾斜面６８ａには滑り止め６８ｂが設置されていてもよい。この第二変形例によれば、第一変形例よりも部品点数を削減できてより強固に床面ＦＬに固定できる。
【００４２】
なお、第一、第二変形例による下レールガイド部５９，６６において、屋内または屋外の一方の床面ＦＬが他方より一段高い場合には、ガイド溝５６の他方のみに傾斜部を設けるようにしてもよい。また、屋内と屋外の両方の床面ＦＬが高い場合には、傾斜部を設けなくてもよい。
また、上述の実施形態や第一、第二変形例による下レール構造では、いずれも開閉ドアにガイド部４６を設け、下レール構造部分にガイド溝４５，５６を設けたが、これとは逆に開閉ドアにガイド溝を設け、下レールガイド部５９，６６にガイド部を設けてもよく、この場合にはガイド部は、下レール本体６０，６７等の頂部以下の高さであることが好ましい。
【００４３】
なお、上述した第一実施形態では、無目３３の両端下側に下部開口３３ｂを設けて上方から降下させて縦枠１５に設置した突起部３２に嵌合させたが、無目３３の両端部側面に側部開口を設けて水平方向に押し込んで突起部３２に無目３３を嵌合させてもよく、この場合にはねじ３８等で無目３３を突起部３２に固定する。このように構成すれば、無目３３と上枠１６との間に無目３３を下降操作するスペースを設けなくてもよい上に、第二実施形態のように第一、第二の無目４９Ａ，Ｂの下側からねじ３８で上枠４８，１６にネジ固定する場合よりも、荷重がねじ３８に集中しないから、無目３３はレール３６やローラ４２やエンジン４１を収納したボックス４０等の荷重を支持する保持強度が高い。
【００４４】
そのため、このような構成を採用すれば、第二実施形態に示すランマのない開口部１の上枠４８やＦＩＸ窓４の上枠１６に取りつける第一、第二の無目４９Ａ，４９Ｂにおいて、ねじ３８による下方からのねじ止め固定に代えて、またはねじ止めと共に、開口部１の対向する側面やＦＩＸ窓４の対向する縦枠１５に突起部３２を設けて、第一、第二の無目４９Ａ，４９Ｂの両端の側部開口を嵌合させて支持することができる。
【００４５】
なお、本発明において、固定部材はねじ３８等を含み、補強部材は補強板３５等を含むものとする。
また、上述の建物の開口部１の改装構造として、店舗の出入り口としての開口部１について説明したが、本発明は店舗の開口部１に限定されるものではなく、住宅やビル等を含む適宜の建物の出入り口等の開口部１の改装構造や改装工法に採用できる。
本発明における駆動手段は、少なくともレール３６とエンジン４１、好ましくは更にローラ４２を有する支持アーム４３を備えていることが好ましい。
【符号の説明】
【００４６】
１  開口部
４、２５  ＦＩＸ窓
１０、１３  自動ドア
１２  開閉ドア
１５，１５Ａ  縦枠
１６、４８  上枠
１８  ガラスパネル
１９  枠体
２６  縦枠
２８  下枠
３１  袖部
３２  突起部
３３  無目
３３ａ  端部開口
３３ｂ  下部開口
３４  蓋
３５  補強板
３６  レール
３７  支持枠
３８  ねじ
４０  ボックス
４１  エンジン
４２  ローラ
４３  支持アーム
４５、５６  ガイド溝
４６  ガイド部
４９Ａ  第一の無目
４９Ｂ  第二の無目
５１，５２，５３，５４  高さ調整部材
５９、６６  下レールガイド部
６０、６７  レール本体
６１，６８  傾斜部
６２  傾斜取り付け部
ＦＬ  床面
【図１】
2015031099.tif 000003
【図５】
2015031099.tif 000004
【図６】
2015031099.tif 000005
【図７】
2015031099.tif 000006
【図８】
2015031099.tif 000007
【図９】
2015031099.tif 000008
【図１０】
2015031099.tif 000009
【図１１】
2015031099.tif 000010
【図１２】
2015031099.tif 000011
【図２】
2015031099.tif 000012
【図３】
2015031099.tif 000013
【図４】
2015031099.tif 000014